(57)【要約】      （修正有）【課題】着用を続けると強い悪臭を発生する腕時計の革バンドについて、その悪臭物質を効果的に除去できる安価な消臭ベルトを提供する。  【解決手段】消臭剤を担持した薄い樹脂フィルムに相当する消臭層と、該消臭層が肌と直接接触することを防ぐ薄繊維層３とからなる２層ベルトであり、腕時計５の革バンド７の横幅に対応する横幅寸法を有し、腕時計５に装着して革バンド７の裏側に配置すると、消臭層が腕時計５の革バンド７と密接することで革バンド７から発生する悪臭を除去し、一方、薄繊維層３が着用者の腕皮膚と接触して触感を高める。【選択図】図２
0003211615.tif 000002
【実用新案登録請求の範囲】
【請求項１】
消臭剤を担持した薄い樹脂フィルムに相当する消臭層と、該消臭層が肌と直接接触することを防ぐ薄繊維層とからなる２層ベルトであって、腕時計の革バンドの横幅に対応する横幅寸法を有し、腕時計に装着して革バンドの裏側に配置すると、消臭層が腕時計の革バンドと密接することで革バンドから発生する悪臭を除去し、一方、薄繊維層が着用者の腕皮膚と接触して触感を高める腕時計用の消臭ベルト。
【請求項２】
消臭剤を担持した薄い樹脂フィルムに相当する消臭層と、該消臭層が肌と直接接触することを防ぐ薄繊維層とからなる２層ベルトであって、腕時計の革バンドの横幅に対応する横幅寸法および革バンドの締め付け時の内周よりも短い長さを有し、一端側において革バンドの差し込み部を挿通させる保持筒体を固着し、他端側に革バンドの止め金具の止めピンを挿通する単数または複数個の貫通孔を設ける腕時計用の消臭ベルト。
【請求項３】
消臭層にはイオン交換ゼオライトを含有し、薄繊維層が超極細のポリエステル繊維で織り上げたクロスからなる請求項１または２記載の消臭ベルト。
【請求項４】
バンドの一端側に保持筒体側を越える延長部を形成し、該延長部は革バンドの締め付け時に止め金具の下側に配置される請求項１または２記載の消臭ベルト。
【考案の詳細な説明】
【技術分野】
【０００１】
本考案は、着用を続けると強く悪臭を発生する腕時計の革バンドについて、その悪臭物質を効果的に除去できる安価な消臭ベルトに関する。
【背景技術】
【０００２】
革バンドを取り付けた腕時計を使用し、その使用をある程度の期間継続し、特に夏季を経過して使用を継続すると、発汗などによって革バンドから強い悪臭が発生する。この悪臭発生を嫌うために、金属バンドを装着した腕時計を使用する人も多い。この反面、革バンドの愛好者も多く、この愛好者は数多くの革バンドを購入して頻繁に取り替えたり、革バンドに消臭液をスプレー塗布する作業などが必要になるので、経済的な負担や煩雑な消臭作業を負うことになる。
【０００３】
腕時計の革バンドに関する悪臭の発生を防止するために、実用新案登録第３０６９９９７号および実用新案登録第３１０８１８０号などが提案されている。実用新案登録第３０６９９９７号は、時計バンドの布地中芯に備長炭の微粉末を挟持させ、さらに該バンドの裏面には備長炭の通気用孔を多数穿孔する。また、実用新案登録第３１０８１８０号は、時計バンドまたは時計本体の表面に二酸化チタンとポリエステルを含有する光触媒層を形成するために、光触媒を含む液状体を塗布・噴霧して定着させたり、該液状体に時計バンドを含浸する。
【先行技術文献】
【特許文献】
【０００４】
【特許文献１】実用新案登録第３０６９９９７号公報
【特許文献２】実用新案登録第３１０８１８０号公報
【考案の概要】
【考案が解決しようとする課題】
【０００５】
実用新案登録第３０６９９９７号や実用新案登録第３１０８１８０号では、腕時計の革バンドから生じる悪臭を防ぐために、革バンドの繊維中芯に備長炭の微粉末を担持させたり、革バンドの表面を光触媒で処理するので、革バンド自体に消臭・抗菌加工を施すことになる。消臭加工を施した特定の革バンドを使用することが必要ならば、独自の革バンドを常に使用したいという愛好者の要望に沿うことはできない。
【０００６】
また、実用新案登録第３０６９９９７号のように、時計バンドの中に備長炭の微粉末を添加し、さらにバンド裏面に備長炭の通気用孔を多数穿孔すると、革バンドのコストが高くなるうえに、腕時計の使用継続によって消臭効果が急減するので、定期的な革バンドの購入が必要になる。実用新案登録第３１０８１８０号についても、時計バンドの表面に光触媒層を形成するので革バンドのコストが高くなり、長期使用で消臭効果が減少すると新たな革バンドを購入しなければならない。
【０００７】
本考案は、腕時計用革バンドの悪臭除去に関する前記の問題点を改善するために提案されたものであり、構造が単純で安価であり、既存の腕時計に容易に装着できてその交換も容易である消臭ベルトを提供することを目的としている。本考案の他の目的は、悪臭を発生する革バンド自体を交換せずに消臭するので、愛好者として独自の革バンドを常に使用できる消臭ベルトを提供することを目的としている。
【課題を解決するための手段】
【０００８】
本考案に係る消臭ベルトは、消臭剤を担持した薄い樹脂フィルムに相当する消臭層と、該消臭層が肌と直接接触することを防ぐ薄繊維層とからなる２層ベルトである。本考案の消臭ベルトは、腕時計の革バンドの横幅に対応する横幅寸法を有し、腕時計に装着して革バンドの裏側に配置すると、消臭層が腕時計の革バンドと密接することで革バンドから発生する悪臭を除去し、一方、薄繊維層が着用者の腕皮膚と接触して触感を高める。
【０００９】
本考案に係る消臭ベルトは、腕時計の革バンドの横幅に対応する横幅寸法および革バンドの締め付け時の内周よりも短い長さを有し、一端側において革バンドの差し込み部を挿通させる保持筒体を固着し、他端側に革バンドの止め金具の止めピンを嵌入する単数または複数個の貫通孔を設けていればよい。
【００１０】
本考案に係る消臭ベルトにおいて、消臭層にはイオン交換ゼオライトを含有し、薄繊維層は超極細のポリエステル繊維で織り上げたクロスからなると好ましい。また、バンドの一端側に保持筒体を越える延長部を形成すると好ましく、該延長部は革バンドの締め付け時に止め金具の下側に配置される。
【考案の効果】
【００１１】
本考案に係る消臭ベルトは、腕時計の革バンドから発生する強烈な悪臭を除去して革バンド付き腕時計を快適に長期間使用できることを維持する。本考案の消臭ベルトは、消臭層および薄繊維層を有する単純で安価な２層ベルトであり、革ベルト附属品として既存の腕時計に容易に装着でき、消臭ベルトの交換も容易である。
【００１２】
本考案に係る消臭ベルトにより、悪臭を発生する革バンド自体を交換する必要がなくなり、該革バンドをそのまま長期間使用できるうえに、仮に消臭効果が消滅しても消臭ベルトを交換するだけでよい。本考案の消臭ベルトを用いると、腕時計の革バンドを定期的に交換する必要がないので、愛好者として独自の革バンドを常に使用できる。
【図面の簡単な説明】
【００１３】
【図１】本考案に係る消臭ベルトを示し、（１）は側面図および（２）は平面図である。
【図２】図１の消臭ベルトを腕時計に装着した状態を示す斜視図である。
【図３】本考案の変形例を示す側面図である。
【図４】図３の消臭ベルトを腕時計に装着して腕に巻き付けた状態を示す概略側面図である。
【考案を実施するための形態】
【００１４】
本考案に係る消臭ベルト１は、図１に示すように、消臭剤を担持した薄い樹脂フィルムの消臭層２および薄繊維層３とを備えるベルト本体からなり、通常、消臭層２および薄繊維層３は同じ細長い矩形の平面形状を有する。消臭ベルト１は、図２を参照すると、腕時計５の革バンド７の横幅に対応する横幅寸法を有し、図４から明らかなように、止め金具１２の個所には存在しないので、通常、該革バンドの締め付け時の内周よりも短い長さになる。
【００１５】
消臭ベルト１のベルト本体において、消臭層２および薄繊維層３は、違和感を少なくするために可能な限り薄くて柔らかく、さらに軽量であることが好ましく、通常、消臭層２は厚さ２００μｍ以下および薄繊維層３は０．８ｍｍ以下であり、全体厚が約１ｍｍ以下であることが望ましい。消臭ベルト１において、消臭層２の目付けは５８〜７５ｇ／ｍ２であると好ましい。
【００１６】
消臭ベルト１のベルト本体として、例えば、イオン交換ゼオライトや二酸化チタン光触媒などの消臭剤を担持した樹脂フィルムである消臭層２と、超極細のポリエステル繊維クロスや薄絹地などの柔らかい薄い布地である薄繊維層３とを接着すればよく、または適宜の消臭剤を担持した樹脂液を薄繊維層３上にコーティングすることも可能である。薄繊維層３は、ポリエステル製の薄い織ネームまたはプリントネームでも使用可能である。
【００１７】
消臭層２において、消臭剤としてイオン交換ゼオライトを薄い樹脂フィルムに担持させる一例として、所定の樹脂フィルムに対して、ゼオライト粉末を混合した樹脂液をコーティングする。用いる樹脂フィルムは、ポリプロピレン、ポリエステル、ポリウレタンなどであり、その厚みは折り曲げなどが可能なように約２０μｍ以上である。
【００１８】
ゼオライト混合の樹脂液を製造するには、常温で液状であるＡＳ樹脂やＡＢＳ樹脂などの樹脂、ＤＭＦなどの溶剤、およびエーテルエステル系可塑剤などの架橋剤を混合してから、この樹脂液にゼオライト粉末を投入しながら均一に混合するように撹拌を続ける。この結果、全体がほぼ均一に混合された樹脂液を得ることができ、この樹脂液を樹脂フィルム上でほぼ同じ厚みになるようにコーティングする。次に、樹脂液コーティングの樹脂フィルムを約１０℃〜２０℃である常温の水に数秒間浸漬し、さらに数秒から１０秒程度温水に浸漬する。ついで、樹脂フィルムを乾燥させることにより、樹脂フィルムにコーティングされた前記の樹脂液から余分な溶剤を揮散させる。
【００１９】
樹脂コーティングされた樹脂フィルムについて、表面にコーティング樹脂が膜となって存在し、その内部にゼオライトが集まり、該樹脂フィルムと表面の樹脂膜の間を繋ぐ細い柱状体が無数存在する。つまり、樹脂フィルムとコーティング樹脂の間にゼオライトが介在するとともに、コーティング樹脂の膜面に無数の微小な孔が形成されている。ゼオライトを担持した樹脂フィルムは、金属イオンを含有する水溶液に浸漬されると、金属イオン交換ゼオライトを得ることができる。樹脂フィルム中のゼオライトには、銅イオン、銀イオン、亜鉛イオン、ニッケルイオン、パラジウムイオン、マンガンイオン、マグネシウムイオン、カルシウムイオンなどの金属イオンをイオン交換によって導入できる。
【００２０】
樹脂フィルムに消臭剤のゼオライトを担持させる他の例として、例えば、素材樹脂として、ポリウレタン、ポリエチレン、ポリプロピレン、ポリスチレン、アクリル樹脂、ＡＳ樹脂、ＡＢＳ樹脂、ポリアミド、ポリカーボネート、ポリエステル、熱可塑性ポリイミドなどの熱可塑性樹脂を使用する。この素材樹脂の粉末をアルコール類、アセトニトリル、グリコール類、アミン類などの溶剤に溶解し、さらにこの溶剤中に無機化合物の粉末を分散させる。無機化合物の粉末としては、鉄、亜鉛、マンガンなどの金属単体、ホウ素、ケイ素、カーボンなどの非金属単体、金属錯体、酸化物、炭酸塩、硫酸塩、ハロゲン化物などを例示でき、これらの無機化合物を１種または２種類以上を混合してもよい。
【００２１】
無機化合物の粉末を分散させた樹脂液は、フィルム状に延ばしてから乾燥する。一方、ゼオライト原料液は、ケイ酸ソーダ、アルミン酸ソーダおよび水酸化ナトリウムを水と混合して得る。ゼオライトを担持させるには、得た樹脂フィルムの表面に無機化合物の粉末が固定されている場合には、ゼオライト原料液を樹脂フィルムの無機化合物の粉末に適切な温度と時間で接触させることにより、フィルム表面にゼオライトを合成する。樹脂フィルム上のゼオライトには、前記と同様に、金属イオンをイオン交換で導入できる。
【００２２】
消臭ベルト１が単なる細長い２層ベルト単体であるならば、消臭層２の表面に接着層（図示しない）を介して剥離シートを貼り付けておく。この消臭ベルトは、剥離シートを剥がしてから革バンドなどの裏側に接着すればよい。より好ましくは、消臭ベルト１には、その一端側１ａにおいて革バンド７の差し込み部８を挿通させる保持筒体１０を固着し、他端側１ｂに革バンドの止め金具１２（図２と図４）の止めピン１４（図２）を嵌入できる単数または複数個の貫通孔１６を設ける。
【００２３】
保持筒体１０は、消臭ベルト１の一端側１ａにおいてベルト本体と並行に配列し、該ベルト本体上に接着または縫着して固着すればよい。保持筒体１０は、複数の着色糸で織成したり表面に商標や多色模様を印刷することができ、好ましくはゴム糸などを織り込んで伸縮可能にする。保持筒体１０は、革バンド７の差し込み部８を挿通できる内寸を有し、装飾目的を有しないならば図１よりも長さを短くしてもよい。
【００２４】
消臭ベルト１の他端側１ｂに設けた貫通孔１６は、ベルト本体における横方向の中央に少なくとも１個設ければよく、適宜に位置調整可能なように複数個（図１では３個）設けてもよい。腕時計５に装着する際には、ベルト本体の他端側１ｂを止め金具１２（図２）内に入れ、ついで止めピン１４（図２）を貫通孔１６に嵌入するため、ベルト本体の他端側１ｂは止め金具１２に入りやすいように図示よりも若干幅狭にすると好ましい。
【００２５】
消臭ベルト１を腕時計５の革バンド７に装着するには、図２のように革バンド７の差し込み部８を保持筒体１０に挿通し、消臭ベルト１を革バンド７の裏側に配置する。次に、消臭ベルト１の他端側１ｂを止め金具１２内に入れ、止めピン１４をベルト貫通孔１６に嵌入してからベルト他端側１ｂをバンド表側に曲げ（図４参照）、さらに止め革輪１７の中に通して固定する。さらに別の止め革輪２０がある場合には、消臭ベルト１の一部およびベルト他端側１ｂを通して消臭ベルト１を安定保持する。
【００２６】
図３は本考案の変形例であり、消臭バンド１の一端側１ａに保持筒体１０を越えるベルト本体の延長部１８を形成する。延長部１８は、図４に示すように、革バンド７の締め付け時に止め金具１２の下側に配置されるので、腕時計５の革バンド７の締め付け時に革バンド７が着用者の肌と直接接触することが殆どなくなり、悪臭の発生をいっそう完全に防止できる。
【００２７】
消臭ベルト１は、図２と図４のように腕時計５の裏側に装着することにより、腕時計５の革バンド７の締め付け時に、消臭層２が革バンド７と密接し、該革バンドから発生する悪臭を確実に除去するとともに、革バンド７と着用者の肌と直接接触することが少なくなるので、悪臭の発生自体を抑制できる。消臭層２では、消臭剤が悪臭を物理的に吸着するとともに、吸着した臭い成分を化学的に分解する。
【実施例１】
【００２８】
次に、本考案を実施例に基づいて説明するが、本考案は実施例に限定されるものではない。消臭ベルト１は、図１に示すように、イオン交換ゼオライトなどの消臭剤を担持した薄い樹脂フィルムの消臭層２および薄繊維層３とを備えるベルト本体からなり、通常、消臭層２および薄繊維層３は同じ細長い矩形の平面形状を有する。このベルト本体は、幅１８ｍｍ、長さ１８５ｍｍである。
【００２９】
消臭層２は、ホットメルト接着剤付きの消臭フィルム（商品名:デオドラントフィルムＮＬ９２７Ａ）であり、フィルム全厚は５５μｍであって、消臭フィルムが２５μｍ、ホットメルト層が３０μｍである。この消臭フィルムは、消臭剤および微少量の二酸化チタンを含むポルウレタンフィルムである。一方、薄繊維層３には、厚さ０．７ｍｍである超極細のポリエステル繊維クロス（商品名:ナノフロント織ゴム、帝人製）を用いる。この消臭フィルムと超極細のポリエステル繊維クロスとの接着後において、消臭層２の仕上がり厚さは約０．７５ｍｍである。
【００３０】
消臭ベルト１は、その一端側１ａにおいて保持筒体１０を固着し、他端側１ｂに止めピン１４を嵌入できる貫通孔１６を設ける。消臭ベルト１を腕時計５の革バンド７に装着するには、図２のように革バンド７の差し込み部８を保持筒体１０に挿通し、消臭ベルト１を革バンド７の裏側に配置する。次に、消臭ベルト１の他端側１ｂを止め金具１２内に入れ、止めピン１４をベルト貫通孔１６に嵌入してから、図４のようにベルト他端側１ｂをバンド表側に曲げ、さらに止め革輪１７の中に入れて固定する。
【００３１】
消臭ベルト１は、腕時計５の裏側に装着することにより、腕時計５の革バンド７の締め付け時に、消臭層２が革バンド７と密接して該革バンドから発生する悪臭を確実に除去するとともに、革バンド７と着用者の肌が直接接触することが少なくなるので、悪臭の発生自体を抑制する。消臭ベルト１において、消臭層２は、消臭剤が悪臭を物理的に吸着するとともに、吸着した臭い成分を化学的に分解する。
【実施例２】
【００３２】
図３は本考案の変形例であり、消臭層２および薄繊維層３は同じ細長い矩形の平面形状を有する。消臭層２および薄繊維層３の素材は実施例１と同様である。このベルト本体は、幅１８ｍｍ、長さ２０５ｍｍであり、保持筒体１０を越えるベルト本体の延長部１８の長さは２０ｍｍである。延長部１８は、図４に示すように、革バンド７の締め付け時に止め金具１２の下側に配置されるので、腕時計５の革バンド７の締め付け時に革バンド７が着用者の肌と直接接触することがいっそう少なくなる。
【００３３】
図３の消臭ベルトを腕時計５の裏側に装着することにより、腕時計５の革バンド７の締め付け時に、消臭層２の延長部１８の存在によって革バンド７から発生する悪臭をいっそう確実に除去できる。長寸の消臭層２は、革バンド７と密接して該革バンドから発生する悪臭をいっそう確実に除去するとともに、延長部１８の介在によって革バンド７が着用者の肌と直接接触することが殆どなくなり、悪臭の発生自体を完全に抑制する。この消臭ベルトにおいて、消臭層２は、消臭剤が悪臭を物理的に吸着するとともに、吸着した臭い成分を化学的に分解する。
【符号の説明】
【００３４】
１  消臭ベルト
２  消臭層  
３  薄繊維層  
５  腕時計  
７  革バンド
８  バンド差し込み部
１０  保持筒体
１２  止め金具
１４  止めピン
１６  貫通孔  
【図１】
0003211615.tif 000003
【図２】
0003211615.tif 000004
【図３】
0003211615.tif 000005
【図４】
0003211615.tif 000006